(57)【特許請求の範囲】
【請求項１】
エアゾール容器の巻回部に装着されるアダプタ基部に立設された一対の側壁部と、当該側壁部の相互間に掛け渡された梁部と、この梁部から後方に向かって延在するアーム部と、当該アーム部にヒンジ部を介して連設される操作片とを有し、
前記操作片は、前記ヒンジ部よりも前記梁部側に向かって突出する突出部と、前記ヒンジ部から後方に向かって延設される押圧部とを備えており、
この操作片の押圧部を、前記ヒンジ部を基点に押し下げるときには、この押圧部がノズルヘッドを押圧することで内容物を噴射させる一方、
前記操作片の押圧部を、前記ヒンジ部を基点に引き上げるときには、当該操作片の突出部における前端部がノズルヘッドの上面に乗り上がって当該ノズルを継続的に押圧することで内容物を連続的に噴射させるとともに、
前記操作片の厚みを前方に向かって増大させて前記前端部の前記梁部に対向する部分の表面積を拡大させて平坦面を形成したことを特徴とするエアゾール容器用噴射切換アダプタ。
【請求項２】
請求項１において、前記前端部の下側角部を曲面又は斜面に構成したことを特徴とするエアゾール容器用噴射切換アダプタ。
【請求項３】
請求項１又は２において、前記操作片の押圧部に、滑り止めを備えることを特徴とするエアゾール容器用噴射切換アダプタ。
【発明の詳細な説明】
【技術分野】
【０００１】
本発明は、手動による比較的短時間な噴射と、手動によらない連続的な噴射とを可能にするエアゾール容器用噴射切換アダプタに関するものである。
【背景技術】
【０００２】
従来の技術には、エアゾール容器の巻回部に装着されたアダプタ（キャップ体）と、このアダプタに揺動可能に軸支される操作片とを備え、この操作片の後端部側を押し下げるときには、この後端部側の部分がノズルヘッドを押圧することで内容物を噴射させる一方、この操作片の後端部側を引き上げるときには、当該操作片の前側に形成した傾斜面がノズルを押圧することで内容物を噴射させるものがある（例えば、特許文献１参照。）。
【特許文献１】実開昭４９−１５０４０８号公報
【発明の開示】
【発明が解決しようとする課題】
【０００３】
しかしながら、従来の技術は、操作片が別体に構成されるため、部品点数が多く、低コスト化や組み付け作業の効率化の面において改善の余地がある。
【０００４】
本発明の目的とするところは、手動による比較的短時間な噴射と共に、手動によらない継続的な噴射とを可能にしつつ、部品点数の削減が図られた新規なエアゾール容器用噴射切換アダプタを提供することにある。
【課題を解決するための手段】
【０００５】
本発明であるエアゾール容器用噴射切換アダプタは、エアゾール容器の巻回部に装着されるアダプタ基部に立設された一対の側壁部と、当該側壁部の相互間に掛け渡された梁部と、この梁部から後方に向かって延在するアーム部と、当該アーム部にヒンジ部を介して連設される操作片とを有し、前記操作片は、前記ヒンジ部よりも前記梁部側に向かって突出する突出部と、前記ヒンジ部から後方に向かって延設される押圧部とを備えており、
この操作片の押圧部を、前記ヒンジ部を基点に押し下げるときには、この押圧部がノズルヘッドを押圧することで内容物を噴射させる一方、
前記操作片の押圧部を、前記ヒンジ部を基点に引き上げるときには、当該操作片の突出部における前端部がノズルヘッドの上面に乗り上がって当該ノズルを継続的に押圧することで内容物を連続的に噴射させるとともに、
前記操作片の厚みを前方に向かって増大させて前記前端部の前記梁部に対向する部分の表面積を拡大させて平坦面を形成したことを特徴とするものである。
【０００６】
本発明によれば、前記前端部の下側角部を曲面又は斜面に構成することが好ましい。更に、本発明は、前記操作片の押圧部に、滑り止めを備えることが好ましい。
【発明の効果】
【０００７】
本発明によれば、エアゾール容器の巻回部に装着されるアダブタ基部から立設された一対の側壁部の相互間に梁部を掛け渡し、この梁部にアーム部を介して操作片を連結すると共に、当該アーム部にヒンジ部を形成したことから、エアゾール容器用噴射切換アダプタを一体に成形することができる。
【０００８】
しかも、かかる構成によれば、操作片の後端部側（押圧部）を、ヒンジ部を基点に押し下げるときには、この後側部側（押圧部）がノズルヘッドを押圧することで、手動による比較的短時間な内容物の噴射を可能にすると共に、小さい力での操作が可能となる一方、前記操作片の後端部側（押圧部）を、ヒンジ部を基点に引き上げたときには、当該操作片の突出部における前端部がノズルヘッドの上面に乗り上がって当該ノズルヘッドを継続的に押圧することで、手動によらない内容物の連続的な噴射を可能にする。
【０００９】
従って、本発明によれば、手動による比較的短時間な噴射と、手動によらない継続的な噴射とを可能にしつつ、部品点数の削減が図られた新規なエアゾール容器用噴射切換アダプタを提供することができる。
【００１０】
本発明において、前記操作片の厚みを前方に向かって増大させてその前端部の梁部に対向する部分の表面積を拡大させて平坦面を形成したことで、ノズルヘッドへの乗り上がりを確実に実現することができる。
【００１１】
また、本発明において、前記前端部の下側角部を曲面又は斜面に構成すれば、ノズルヘッドへの乗り上がりがスムーズになることで、ノズルヘッドの乗り上がりを容易に実現することができる。
【００１２】
更に、本発明は、前記操作片の押圧部に、滑り止めを備えることで、操作性が向上する。
【発明を実施するための最良の形態】
【００１３】
以下、図面を参照して、本発明の好適な形態を詳細に説明する。
【００１４】
図１は、本発明の一形態であるエアゾール容器用噴射切換アダプタ（以下、「アダプタ」という）１を備えるエアゾール容器の要部をその上部側面から示す要部斜視図であり、図２は、その上面図である。
【００１５】
また、図３は、エアゾール容器１０に装着した状態のアダプタ１をその側面から断面で示す一部断面図であり、図４及び図５はそれぞれ、アダプタ１を用い、手動によって比較的短時間な噴射を行ったときの同状態を、その側面から断面で示す断面図及び、同状態のアダプタ１を用い、手動によらない連続的な噴射を行ったときの同状態を、その側面から断面で示す断面図である。
【００１６】
符号２は、エアゾール容器１０の巻回部１１に着脱可能に嵌合される環状の基部３から一体に起立する２つ（一対）の側壁部である。２つの側壁部２の後端相互間には、使用者が指を差し込んで、後述の操作片６を押圧できるように、切り欠きＣを形成する。
【００１７】
符号４は、図２に示すように、２つの側壁部２の前端相互間に掛け渡され、エアゾール容器１０のステム１２に連結されたノズルヘッド１３の上部に配置される梁部である。梁部４は、環状基部３及び２つの側壁部２と共に、ノズルヘッド１３の噴射孔１３ａを外界に開放する開口部Ａを形成する。
【００１８】
符号５は、梁部４から後方に向かって延在する２つの平板状のアーム部である。２つのアーム部５の裏面にはそれぞれ、図１や図２に示すように、アーム部５の幅方向に沿って横切る薄肉部からなるヒンジ部７が形成されている。
【００１９】
符号６は、梁部４から延在するアーム部５の先端それぞれに繋がり、当該アーム部５に保持される操作片である。操作片６は、図２に示すように、２つのアーム部５の先端と一体に結合され、その後縁ｅが半円形を形作る押圧部６ａを有する。これにより、操作片６は、アーム部５に形成したヒンジ部７を基点として回動することができる。
【００２０】
また、操作片６は、押圧部６ａから一体に突出して２つのアーム部５の相互間に延在する突出部６ｂを有する。この突出部６ｂの前端部６ｅは、操作片６の前端部を構成し、更に、この前端部６ｅは、例えば図３に示すように、平坦な面を有している。
【００２１】
また、操作片６は、図３等に示すように、突出部６ｂの厚みを前方に向かって増大させて前端部６ｅの表面積を拡大させている。更に、操作片６は、前端部６ｅの下側に位置する角部６ｃが、図１に示すように、曲率半径ｒの曲面として構成されている。なお、符号９は、エアゾール容器に着脱可能に装着されるオーバーキャップである。
【００２２】
本発明に従うアダプタ１によれば、エアゾール容器１０の巻回部１１に装着されるアダプタ基部３に立設された２つの側壁部２の相互間に梁部４を掛け渡し、この梁部４に２つのアーム部５を介して操作片６を連結すると共に、当該アーム部５にそれぞれ薄肉のヒンジ部７を形成したことから、操作片６を別体とすることなく、一体に形成することができる。即ち、本発明によれば、エアゾール容器用噴射切換アダプタを一体に成形することができる。
【００２３】
しかも、アダプタ１によれば、使用者が、操作片６の押圧部６ａを、ヒンジ部７を基点に押し下げるときには、図４に示すように、押圧部６ａがノズルヘッド１３を押圧することで、エアゾール容器１０の内容物を噴射させる一方、使用者が、押圧部６ａを、ヒンジ部７を基点に引き上げるときには、図５に示すように、操作片６の前端部６ｅがノズルヘッド１３の上面１３ｆに乗り上がって当該ノズル１３を継続的に押圧することで内容物を連続的に噴射させる。この時、操作片６がノズルヘッド上面１３ｆに対して垂直、もしくは、梁部側に傾倒状態となるように前端面６ｅを構成することが好ましい。
【００２４】
なお、本形態では、ノズルヘッド１３の上部は、天面１３ｆの後方側の一部を傾斜面１３Ｌに構成することで、押圧部６ａからノズルヘッド１３に加わる押圧力が、天面１３ｆと傾斜面１３Ｌとの間の稜線Ｐに作用するため、効率的な押圧操作を行うことができる。
【００２５】
即ち、アダプタ１によれば、操作片６の押圧部６ａを押し下げるときには、この押圧部６ａがノズル１３を押圧することで、手動による比較的短時間な内容物の噴射を可能にする一方、操作片６の押圧部６ａを引き上げるときには、当該操作片６の前端部６ｅがノズル１３の上面１３ｆに乗り上がって当該ノズル１３を継続的に押圧することで、手動によらない内容物の連続的な噴射を可能にする。
【００２６】
従って、アダプタ１によれば、手動による比較的短時間な噴射と共に、手動によらない継続的な噴射とを可能にしつつ、部品点数の削減が図られた新規なエアゾール容器用噴射切換アダプタを提供することができる。
【００２７】
特に、本形態の如く、突出部６ｂの厚みを前方に向かって増大させて操作片６の突出部における前端部６ｅの表面積を拡大させれば、ノズルヘッド１３への乗り上がりを確実に実現することができる。
【００２８】
また、本形態の如く、前端部６ｅの下側角部６ｃを曲面に構成すれば、ノズル１３の乗り上がりがスムーズになることで、ノズルヘッド１３への乗り上がりを容易に実現することができる。なお、本形態では、下側角部６ｃを曲率半径ｒの曲面で構成したが、前端部６ｅの占める領域に対して小さければ、傾斜面（テーパ面）としてもよい。
【００２９】
更に、本形態では、操作片６の押圧部６ａに、複数の横リブ６ｄを設け、これらの横リブ６ｄを滑り止めとして利用している。本形態のように、操作片６の押圧部６ａに滑り止めを設ければ、操作片６の操作性を向上させることができる。
【００３０】
上述したところは、本発明の好適な形態を説明するものであるが、特許請求の範囲において、種々の変更を加えることができる。例えば、ノズルヘッド13からの噴出形態は、本形態のように、内容物を噴霧させるものに限らず、泡状やストレート状の噴射を可能とするものであってもよい。また、アーム部５を１つで構成し、当該アーム部５の両側部に連結するように操作片６を配置しても良い。
【図面の簡単な説明】
【００３１】
【図１】本発明の一形態であるエアゾール容器用噴射切換アダプタを備えるエアゾール容器の要部をその上部側面から示す要部斜視図である。
【図２】同形態の上面図である。
【図３】エアゾール容器に装着した状態の同形態に係るアダプタをその側面から断面で示す一部断面図である。
【図４】同形態のアダプタを用い、手動によって比較的短時間な噴射を行ったときの同状態を、その側面から断面で示す断面図である。
【図５】同形態において、同状態のアダプタを用い、手動によらない連続的な噴射を行ったときの同状態を、その側面から断面で示す断面図である。
【符号の説明】
【００３２】
１   エアゾール容器用噴射切換アダプタ
２   側壁部
３   アダプタ基部
４   梁部
５   アーム部
６   操作片
6a   操作片押圧部
6b   操作片突出部
6c   操作片前端部の下側角部
6e   操作片前端部
７   ヒンジ部
９   オーバーキャップ
10   エアゾール容器
11   回巻部
12   ステム
13   ノズルヘッド
13a  ノズルヘッドの天面
13L  ノズルヘッドの傾斜面
Ａ   噴射用開口部
Ｃ   操作用切り欠き
【図１】
0005059585.tif 000002
【図２】
0005059585.tif 000003
【図３】
0005059585.tif 000004
【図４】
0005059585.tif 000005
【図５】
0005059585.tif 000006